(57)【要約】  場所に関連するサイトを識別しそれらのサイトに関連する画像を表示する方法及びシステムを提供する。ツアーシステムは、場所を用いて形成する検索要求を画像検索サービスに提示することにより、場所に関連するサイトを識別する。ツアーシステムは、検索結果のメタデータの顕著な成句を候補サイト名であると識別する。ツアーシステムはまた、場所に関連する画像を表示するユーザインターフェースをも提供する。ユーザインターフェースは、旅行の際に出会うサイトのスライドショーを提示することができる。
2010506335.tif 000002
【特許請求の範囲】
【請求項１】
場所に関するサイトを識別するコンピューティングシステムにおける方法であって、
検索サービスに場所に基づく検索要求を提示するステップ（７０１）と
前記検索要求の結果から候補サイトを識別するステップ（７０２）と
興味のあるサイトに一致する前記候補サイトを前記場所に関するサイトとして選択するステップ（７０３、７０４、７０５）と
を含むことを特徴とする方法。
【請求項２】
請求項１に記載の方法であって、前記検索サービスは画像検索サービスであることを特徴とする方法。
【請求項３】
請求項１に記載の方法であって、候補サイトを識別する前記ステップは、
前記検索結果から顕著な成句を識別するステップと
前記識別した顕著な成句を検索結果のクラスタに対する名称であると採点するステップと
を含むことを特徴とする方法。
【請求項４】
請求項３に記載の方法であって、
前記検索サービスは画像検索サービスであること、及び顕著な成句を識別する前記ステップは検索結果のメタデータから成句を選択するステップを含むこと
を特徴とする方法。
【請求項５】
請求項１に記載の方法であって、場所に関するサイトとして選択する前記ステップは、
候補サイトの名称を地理的名称サービスに提示するステップと
前記地理的名称サービスが前記候補サイトの名称は地理的名称であると示すとき、前記候補サイトを前記場所に関連するサイトとして示すステップと
を含むことを特徴とする方法。
【請求項６】
請求項５に記載の方法であって、前記地理的名称サービスが前記候補サイトの前記名称は地理的名称ではないと示すとき、前記候補サイトを前記場所のサイトとして示さないことを特徴とする方法。
【請求項７】
請求項１に記載の方法であって、
前記検索サービスは、画像検索サービスであること、及び場所に関するサイトとして選択する前記ステップは、前記検索結果のメタデータが示す通りに画像の品質を考慮に入れること
を特徴とする方法。
【請求項８】
請求項１に記載の方法であって、前記検索サービスは画像検索サービスであること、及び
候補サイトを選択する前記ステップは、
前記検索結果から顕著な成句を識別するステップと
前記識別した顕著な成句を前記検索結果の画像のクラスタに対する名称であると採点するステップと
候補サイトの名称を、閾値を超えるスコアと共に地理的名称サービスに提示するステップと
前記地理的名称サービスが前記候補サイトの前記名称は地理的名称であると示すとき、前記候補サイトを前記場所に関連するサイトとして選択するステップと
を含むことを特徴とする方法。
【請求項９】
場所に関するサイトを識別するコンピューティングシステムであって、
画像検索サービスに場所に基づく検索要求を提示し、画像及び前記画像の品質を含む関連メタデータを識別する検索結果を受信するコンポーネント（７０１）と
前記検索結果の識別された画像に関連するメタデータから候補サイトを識別し、前記画像のメタデータの前記場所に対する関連性に基づいて、及び前記画像の品質に基づいて、前記候補サイトを採点するコンポーネント（７０２）と
候補サイトの名称を興味のあるサイトの名称サービスに提示し、興味のあるサイトである候補サイト及びそれらのスコアに基づいて前記場所に関するサイトを選択するコンポーネント（７０５）と
を備えることを特徴とするコンピューティングシステム。
【請求項１０】
請求項９に記載のコンピューティングシステムであって、
前記候補サイトを識別することは、前記検索結果から顕著な成句を識別することを含むことと
前記候補を採点することは、顕著な成句が前記検索結果の画像のクラスタに対する名称であるという適合性に基づくことと
を特徴とするコンピューティングシステム。
【請求項１１】
請求項９に記載のコンピューティングシステムであって、
前記興味のあるサイトの名称サービスは地理的名称サービスであること、及び
前記地理的名称サービスが前記候補サイトの前記名称は地理的名称であると示すとき、候補サイトは興味のあるサイトに一致すること
を特徴とするコンピューティングシステム。
【請求項１２】
請求項９に記載のコンピューティングシステムであって、
前記候補サイトを識別することは、前記検索結果から顕著な成句を識別することを含むことと
前記候補サイトを採点することは、顕著な成句が前記検索結果の画像のクラスタに対する名称であるという適合性に基づき、前記興味のあるサイトの名称サービスは地理的名称サービスであることと
前記地理的名称サービスが前記候補サイトの前記名称は地理的名称であると示すとき、候補サイトは興味のあるサイトに一致することと
を特徴とするコンピューティングシステム。
【請求項１３】
コンピューティングシステムを制御して場所に関するサイトを識別するコンピュータ可読媒体であって、
画像検索サービスに場所に基づく検索要求を提示するステップ（７０１）と
識別した画像及び関連メタデータを含む前記検索要求の検索結果を受信するステップ（７０１）と
前記識別した画像に関連する前記メタデータから候補サイトを識別するステップ（７０２）と
興味のあるサイトに一致する前記候補サイトを前記場所に関するサイトとして選択するステップ（７０３、７０４、７０５）と
を含む方法によることを特徴とするコンピュータ可読媒体。
【請求項１４】
請求項１３に記載のコンピュータ可読媒体であって、候補サイトを識別する前記ステップは、
前記メタデータから顕著な成句を識別するステップと
前記識別した顕著な成句を検索結果のクラスタに対する名称であると採点するステップと
を含むこと特徴とするコンピュータ可読媒体。
【請求項１５】
請求項１４に記載のコンピュータ可読媒体であって、識別した顕著な成句を採点する前記ステップは、前記メタデータが示す通りに前記画像の品質を考慮に入れることを特徴とするコンピュータ可読媒体。
【請求項１６】
請求項１３に記載のコンピュータ可読媒体であって、候補サイトを識別する前記ステップは、
前記メタデータから顕著な成句を識別するステップと
前記識別した顕著な成句を前記場所に対する関連性に基づいて採点するステップと
を含むことを特徴とするコンピュータ可読媒体。
【請求項１７】
請求項１６に記載のコンピュータ可読媒体であって、前記場所に対する関連性は、前記場所と識別した顕著な成句を含む前記メタデータとの間の類似性に基づくことを特徴とするコンピュータ可読媒体。
【請求項１８】
請求項１３に記載のコンピュータ可読媒体であって、前記場所に関するサイトとして選択する前記ステップは、
候補サイトの名称を地理的名称サービスに提示するステップと
前記地理的名称サービスが前記候補サイトの前記名称は地理的名称であると示すとき、前記候補サイトを前記場所に関するサイトとして選択するステップと
を含むことを特徴とするコンピュータ可読媒体。
【請求項１９】
請求項１３に記載のコンピュータ可読媒体であって、
候補サイトを識別する前記ステップは、
前記メタデータから顕著な成句を識別するステップと
前記識別した顕著な成句を画像のクラスタを表す名称であると採点するステップと
を含むこと、及び
前記場所に関するサイトとして選択する前記ステップは、
候補サイトの名称を地理的名称サービスに提示するステップと
前記地理的名称サービスが前記候補サイトの前記名称は地理的名称であると示すとき、前記候補サイトを前記場所に関するサイトとして選択するステップと
を含むことを特徴とするコンピュータ可読媒体。
【請求項２０】
請求項１３に記載のコンピュータ可読媒体であって、前記画像検索サービスは、品質評価を有し異なる写真画像フォーラムの品質評価を標準化するステップを含む画像フォーラムを検索することを特徴とするコンピュータ可読媒体。
【発明の詳細な説明】
【技術分野】
【０００１】
本発明は、場所に関するサイトの識別に関する。
【背景技術】
【０００２】
人々が自分の旅行を計画するためウェブ（即ち、ワールドワイドウェブ）を使用することが次第に増えている。旅行を計画する人は、ウェブページ検索エンジンサービス、画像検索エンジンサービス、写真フォーラム、旅行関係のウェブサイト、オンライン旅行予約サービスなどを含む多数のウェブベースのリソースを利用することができる。グーグルやオーバーチュアのようなウェブページ検索エンジンサービスは、ユーザが関心を持ちそうなウェブページ上の情報の検索を提供する。ユーザが検索項目を含む検索要求（「クエリ」とも言う）を提示した後、検索エンジンサービスは、それら検索項目に関係する可能性のあるウェブページを識別する。例えば、エジプトのカイロへの旅行を計画しているユーザはクエリを「カイロ  エジプト  観光旅行」と入力する可能性がある。関係するウェブページを迅速に識別するため、検索エンジンサービスは、キーワードのウェブページに対するマッピングを保持することができる。このマッピングを、各ウェブページのキーワードを識別するためにウェブを「クロールすること」により生成することができる。ウェブをクロールするため、検索エンジンサービスは、基本ウェブページのリストを使用し、それら基本ウェブページを通じてアクセスすることのできるウェブページ全部を識別することができる。任意の特定のウェブページのキーワードは、見出しの語句、ウェブページのメタデータ内で提供される語句、強調表示されている語句などを識別するような様々な有名な情報検索技術を用いて識別されることができる。検索エンジンサービスは、関連性スコアを生成してウェブページの情報が検索要求に対してどれくらい関係するか示すことができる。検索エンジンサービスは、次いで、それらウェブページへのリンクをそれらの関連性に基づく順序でユーザに対して表示する。
【０００３】
検索エンジンサービスの幾つかは、インターネット上で利用可能な画像の検索を提供する。これらの画像検索エンジンサービスは一般的に、キーワードのウェブページに対するマッピングに関し上述したのとほぼ同じ方法でウェブをクロールすることにより、キーワードの画像に対するマッピングを生成する。画像検索エンジンサービスは、画像を含むウェブページのテキストに基づいて、キーワードを識別することができる。画像検索エンジンは、ウェブベースの画像フォーラムの画像に関連するメタデータからキーワードを集めることもでき、画像フォーラムは、人々が自分の写真及び他の画像を公開するために次第に普及しているメカニズムである。画像フォーラムは、ユーザが写真をアップロードすることを可能にし、タイトル、カメラ設定、カテゴリ、及び解説のような関連メタデータを提供するようユーザに要求する。画像フォーラムは一般的に、批評家がアップロードされた画像の各々を評定し、したがってその画像の品質について評価することを可能にする。マッピングがどのようにして生成されるかに関係なく、画像検索エンジンサービスは画像クエリを入力すると、マッピングを用いて画像クエリに関係する画像を見出す。画像検索エンジンサービスは、画像クエリに関係する数千の画像を識別して、関係する画像のサムネイルを提示することができる。ユーザが画像を閲覧するのを手助けするために、画像検索エンジンサービスは、画像クエリに対する画像の関連性に基づいて、そのサムネイルを整理することができる。画像検索エンジンサービスは、閲覧者を閉口させないよう、提供する画像の数を最も関連の深い画像の数百まで制限することもできる。
【０００４】
一個人が現在利用可能なウェブベースのリソースを用いて旅行を計画することは極めて煩わしいことがある。例えば、カリフォルニア州ロスアンゼルスからワシントンＤ．Ｃ．への自動車旅行を計画する人は、様々な経路を識別し、経路に沿う場所（例えば、都市又は郡）を識別し、それぞれの場所に関連するサイト（例えば、ミズーリ州セントルイスにあるゲートウェイアーチ）を識別して、経路とサイトを評価し、好ましい経路及びその経路に沿って訪れるサイトを選択する必要があろう。一個人が様々な経路を識別することは容易であり得るが、それぞれの経路に沿う興味ありそうなサイトを識別することは困難なことがある。その人がサイトの名称を知っている場合、その人はウェブページ又は画像検索に要求を提示することができる。その人は続いて、検索結果を評価して、そのサイトを訪ねるかどうかを決定するよう試みることができる。しかしながら、その人が経路について可能な全てのサイトを知らない場合、その人は、経路に沿う様々の場所についてサイトを記述する様々な旅行のリソース（例えば、本及び観光案内ウェブサイト）を参考にする必要があるかもしれない。その過程は煩わしいだけでなく、利用することのできる画像及び情報の品質はサイト毎及びリソース毎に大きく変化するので、その人は、最も望ましいサイトを識別することさえできないか、又は識別するのに望ましいサイトを見落とす可能性がある。
【先行技術文献】
【特許文献】
【０００５】
【特許文献１】米国特許出願第１０／８８９，８４１号明細書「Ｑｕｅｒｙ−Ｂａｓｅｄ  Ｓｎｉｐｐｅｔ  Ｃｌｕｓｔｅｒｉｎｇ  ｆｏｒ  Ｓｅａｒｃｈ  Ｒｅｓｕｌｔ  Ｇｒｏｕｐｉｎｇ」、２００４年７月１３日出願
【特許文献２】米国特許出願第１１／３３９，３２８号明細書「Ｕｓｅｒ  Ｉｎｔｅｒｆａｃｅ  ｆｏｒ  Ｖｉｅｗｉｎｇ  Ｉｍａｇｅｓ」
【非特許文献】
【０００６】
【非特許文献１】Ｚｅｎｇ，Ｈ．、Ｈｅ，Ｑ、Ｃｈｅｎ，Ｚ．、Ｍａ，Ｗ．、及びＭａ，Ｊ．、「Ｌｅａｒｎｉｎｇ  ｔｏ  Ｃｌｕｓｔｅｒ  Ｗｅｂ  Ｓｅａｒｃｈ  Ｒｅｓｕｌｔｓ」、ＳＩＧＩＲ２００４、７月２５〜２９日、英国サウスヨークシャー、シェフィールド
【発明の概要】
【０００７】
場所に関連するサイトを識別する方法及びシステムを提供する。ツアーシステムは、場所を用いて形成する検索要求を、画像検索サービスに提示することにより、場所に関連するサイトを識別する。検索結果は、場所に関連する画像を識別して、各画像に関連するメタデータを提供する。ツアーシステムは、次いで、検索結果のメタデータから候補サイトの名称を識別する。ツアーシステムは、メタデータの顕著な成句を候補サイト名であるとみなすことができる。候補サイト名は、訪れることのできるサイトを表さない成句を含むことがあるので、ツアーシステムは、候補サイト名の何れが実際のサイトを表すかを判定する。ツアーシステムは、次いで実際のサイトを表さないこれらの候補サイト名を廃棄して、残りの候補サイト名を場所に関連するサイトの名称として使用する。ツアーシステムは、次いで場所に関連するサイトを迅速に識別することができるよう、場所のサイト名に対するマッピングを生成することができる。
【０００８】
ツアーシステムは、指定する場所に関連する興味のあるサイトをユーザが検索することを可能にする。ユーザが場所を指定すると、ツアーシステムは、場所のサイトに対するマッピングを使用して、その場所に関連する興味のあるサイトを識別する。ツアーシステムは、関連する興味のあるサイトの名称をユーザに表示することができる。あるいは、ツアーシステムは、興味のあるサイトの名称を使用して興味のあるサイトそれぞれに関連する画像を識別することができる。ツアーシステムは、興味のあるサイトそれぞれの名称を画像検索サービスに提示してそのサイトに関連する画像を識別することができる。ツアーシステムは、サイトに対する検索結果の画像を、そのサイトに関連する画像のクラスタを表すとみなすことができる。ツアーシステムは、次いでサイトそれぞれの代表的画像を表示することができる。ツアーシステムは同時に、場所及びサイトを包含して識別する地図を表示することもできる。
【０００９】
ツアーシステムは自動的に、旅行の出発地と終着地との間の興味のある旅行場所を識別することができる。ツアーシステムは次いで、出発地と終着地との間の経路又は旅行経路に沿う旅行場所それぞれに関連するサイトを識別する。ツアーシステムは、サイトそれぞれについて画像を識別し、ユーザが画像にざっと目を通すことを可能にする。ツアーシステムは自動的に、出発地と終着地との間の経路を識別することができる。あるいは、ツアーシステムは、表示される地図上で経路を辿ることにより、ユーザが出発地と終着地との間の経路を指定することを可能にすることもできる。ツアーシステムは、経路からの距離に基づいて旅行場所を識別することができる。旅行場所が選択されると、ツアーシステムは、その場所に関連するサイトそれぞれの代表的画像を表示することができる。サイトの代表的画像が選択されると、ツアーシステムはそのサイトに関連する複数の画像を表示することができる。加えて、ツアーシステムは、旅行場所に関連するサイトの画像のスライドショーを提示することができる。
【００１０】
本「発明の概要」は、以下の「詳細な説明」おいて更に詳しく記述する概念を選択して簡略化した形で紹介するため提供される。本「発明の概要」は、特許請求する主題の重要特徴又は本質的特徴を特定することを意図しないし、特許請求する主題の範囲決定における補助として使用されることをも意図しない。
【図面の簡単な説明】
【００１１】
【図１】一実施形態におけるツアーシステムの場所／サイトマッピング生成コンポーネントの高レベル処理を説明する流れ図である。
【図２】一実施形態における場所／サイトマッピングを表すデータ構造を示すブロック図である。
【図３】一実施形態におけるツアーシステムのユーザインターフェースを示す表示ページである。
【図４】一実施形態におけるツアーシステムの経路による検索のユーザインターフェースを示す表示ページである。
【図５】一実施形態におけるツアーシステムのコンポーネントを示すブロック図である。
【図６】一実施形態におけるツアーシステムの場所のサイト識別コンポーネントの処理を説明する流れ図である。
【図７】一実施形態におけるツアーシステムのサイト識別コンポーネントの処理を説明する流れ図である。
【図８】一実施形態におけるツアーシステムの候補サイト名識別コンポーネントの処理を説明する流れ図である。
【図９】一実施形態におけるツアーシステムの特徴ベクトル生成コンポーネントの処理を説明する流れ図である。
【図１０】一実施形態におけるツアーシステムの候補サイト名採点コンポーネントの処理を説明する流れ図である。
【図１１】一実施形態におけるツアーシステムの地理的名称識別コンポーネントの処理を説明する流れ図である。
【図１２】一実施形態におけるツアーシステムの場所による検索コンポーネントの処理を説明する流れ図である。
【図１３】一実施形態におけるツアーシステムの経路による検索コンポーネントの処理を説明する流れ図である。
【図１４】一実施形態におけるツアーシステムの場所に関する画像取り出しコンポーネントの処理を説明する流れ図である。
【図１５】一実施形態におけるツアーシステムの地図による検索コンポーネントの処理を説明する流れ図である。
【図１６】一実施形態におけるツアーシステムの画像選択コンポーネントの処理を説明する流れ図である。
【図１７】一実施形態におけるツアーシステムの経路によるスライドショー表示コンポーネントの処理を説明する流れ図である。
【発明を実施するための形態】
【００１２】
場所に関連するサイトを識別する方法及びシステムを提供する。一実施形態において、ツアーシステムは、場所を用いて形成する検索要求を、画像検索サービスに提示することにより、場所に関連するサイトを識別する。例えば、画像検索サービスは、ウェブベースの画像フォーラムにより提供される検索であることができる。場所がセントルイスであると、検索要求は「ミズーリ州セントルイス」となる。検索結果は、場所に関係する画像を識別して、各画像に関連するメタデータ（例えば、画像タイトルと品質評価）を提供する。例えば、検索要求「ミズーリ州セントルイス」に対する検索結果は、「建造物ゲートウェイアーチ」のタイトルを有する画像を含むことができる。ツアーシステムは、次いで検索結果のメタデータから候補サイトの名称を識別する。ツアーシステムは、メタデータの顕著な成句（例えば、ゲートウェイアーチ又は素晴らしい日没）を、候補サイト名であるとみなすことができる。候補サイト名は、訪れることのできるサイトを表さない成句を含むことがあるので（例えば、素晴らしい日没）、ツアーシステムは、候補サイト名の何れが地理的名称を表すかを判定する。ツアーシステムは、次いで地理的名称を表さないこれらの候補サイト名を廃棄して、残りの候補サイト名を場所に関連するサイトの名称として使用する。例えば、ツアーシステムは、各候補サイト名を（単独で又は場所と組み合わせて）地理的名称サービスに提示し、その候補サイト名が地理的名称に一致するか否かを判定することができる。例えば、候補サイト名が「ゲートウェイアーチ」及び「素晴らしい日没」を含む場合、ツアーシステムは、地理的名称に一致しないが故に「素晴らしい日没」を廃棄するであろう。ツアーシステムは、次いで場所に関連するサイトを迅速に識別することができるよう、場所のサイト名に対するマッピングを生成する。例えば、ツアーシステムは、場所セントルイスをゲートウェイアーチ、ミズーリ植物園、セントルイス美術館などのサイトに対してマッピングすることができる。このようにしてツアーシステムは、或る場所への旅行を計画する人に対し興味がありそうなサイトを迅速に識別することができる。
【００１３】
一実施形態において、ツアーシステムは、指定する場所に関連する興味のあるサイトをユーザが検索することを可能にする。ユーザが場所を指定すると、ツアーシステムは、場所のサイトに対するマッピングを使用して、その場所に関連する興味のあるサイトを識別する。ツアーシステムは、関連する興味のあるサイトの名称をユーザに表示することができる。例えば、ユーザが場所セントルイスを指定する場合、ツアーシステムは、ゲートウェイアーチ、ミズーリ植物園、及びセントルイス美術館の名称を識別して表示することができる。あるいは、ツアーシステムは、興味のあるサイトの名称を利用して、興味のあるサイトそれぞれに関連する画像を識別することができる。ツアーシステムは、興味のあるサイトそれぞれの名称を画像検索サービスに提示して、そのサイトに関連する画像を識別することができる。ツアーシステムは、サイトに対する検索結果の画像を、そのサイトに関連する画像のクラスタを表すとみなすことができる。ツアーシステムは、次いでサイトそれぞれの代表的画像を表示することができる。例えば、「ゲートウェイアーチ」に対する検索結果が５０枚の画像を返し、ミズーリ植物園に対する検索結果が１０枚の画像を返す場合、ツアーシステムは、クエリに対するメタデータの関連性及び画像の品質評価に基づいて、各サイトに関する代表的画像を選択することができる。ツアーシステムは、同時に場所及びサイトを包含して識別する地図をも表示することができる。ユーザがサイトを表す画像を選択するとき、ツアーシステムは、そのサイトの追加の画像を表示することができる。ツアーシステムは、表示されている画像をユーザがスクロールすることを可能にすることができる。
【００１４】
一実施形態において、ツアーシステムは自動的に、旅行の出発地と終着地との間の興味のある旅行場所を識別する。ツアーシステムは自動的に、出発地と終着地との間の経路又は旅行経路に沿う旅行場所それぞれに関連するサイトを識別する。ツアーシステムは、経路に沿う様々な場所の名称のような、経路の追加属性のエントリを可能にすることができる。ツアーシステムは、次いで各サイトに関する画像を識別し、ユーザが画像にざっと目を通すことを可能にする。例えば、ユーザは、旅行の出発地のロスアンゼルス及び終着地のワシントンＤ．Ｃ．を指定することができる。ツアーシステムは、次いで旅行経路に沿う旅行場所としてセントルイスを識別することができる。出発地及び終着地も旅行場所とみなすこともでき、出発地及び終着地は同一の場所であってもよい。ツアーシステムは自動的に、出発地と終着地との間の経路を識別することができる。あるいは、ツアーシステムは、表示される地図上で経路を辿ることにより、ユーザが出発地と終着地との間の経路を指定することを可能にすることができる。ツアーシステムは、経路からの距離に基づいて旅行場所を識別することができる。例えば、経路が３００マイルであるとき、ツアーシステムは、経路の３０マイル以内にある旅行場所を識別することができる。ツアーシステムは、各旅行場所に関する代表的画像を表示して、その旅行場所を地図上で強調表示することができる。旅行場所が選択されると（例えば、代表的画像を選択すること又は地図上で場所を選択することにより）、ツアーシステムは、その場所に関連するサイトそれぞれの代表的画像を表示することができる。サイトの代表的画像が選択されると、ツアーシステムはそのサイトに関連する複数の画像を表示することができる。加えて、ツアーシステムは、旅行場所に関連するサイトの画像のスライドショーを提示することができる。ツアーシステムは、スライドショーの画像を、出発地から終着地まで旅行するとき出会う順序に基づいて並べることができる。
【００１５】
以下においては、ツアーシステムの一実施形態の記述を、図面を参照しながら詳細に説明する。図１は、一実施形態におけるツアーシステムの場所／サイトマッピング生成コンポーネントの高レベル処理を説明する流れ図である。コンポーネント１００は、場所を与えられると、その場所の関連するサイトに対するマッピングを生成する。ブロック１０１において、コンポーネントは場所を検索要求として画像検索サービスに提示する。検索結果は、その場所に関連する画像及び画像タイトル、画像説明、及び画像品質の評価を含むそれらの関係メタデータを識別する。ブロック１０２において、コンポーネントは検索結果のメタデータから候補サイト名を識別する。候補サイト名は、メタデータのテキストから抽出した顕著な成句であることができる。ブロック１０３において、コンポーネントは地理的名称である候補サイト名を識別する。例えば、コンポーネントは、各候補サイト名を地理的名称サービスに提示して、その候補サイト名が地理的名称であるか否かを判定することができる。コンポーネントは、地理的名称である候補サイト名をその場所に関連する実際のサイト名として選択する。ブロック１０４において、コンポーネントは場所のサイト名に対するマッピングを生成して完了する。場所／サイトマッピングをツアーシステムのユーザインターフェースコンポーネントにより使用し、場所に関連するサイトの識別を容易にすることができる。
【００１６】
図２は、一実施形態における場所／サイトマッピングを表すデータ構造を示すブロック図である。場所／サイトマッピング２００は、場所テーブル２０１及びサイトテーブル２０２を含む。場所テーブルは、それぞれの場所に対するエントリを、その場所に対するサイトテーブルへのポインタと共に含む。サイトテーブルのそれぞれは、場所に関連するサイトそれぞれに対するサイトの名称を含むエントリを含む。例えば、場所テーブルは、セントルイスに対するエントリを含み、このエントリは名称「セントルイス」及びサイトテーブルへの参照を含むことができる。そのサイトテーブルのエントリは、「ゲートウェイアーチ」、「ミズーリ植物園」、「セントルイス美術館」などのサイト名を含むことができる。
【００１７】
図３は、一実施形態におけるツアーシステムのユーザインターフェースを示す表示ページである。表示ページ３００は、場所による検索の領域３０１、経路による検索の領域３０２、画像パネル３０３及び地図パネル３０４を含む。ユーザは、サイトを場所により、経路により、又は地図により検索することができる。場所によりサイトを検索するには、ユーザは、場所の名称（例えば、セントルイス）を場所による検索の領域３０１に入力して検索矢印を選択する。ツアーシステムは、場所／サイトマッピングを使用して、その場所に関連するサイトを識別し、サイトそれぞれに関連する画像を検索して、サイトそれぞれを表す画像を画像パネル内に表示する。ツアーシステムは、サイトの人気に基づいてサイトを並べ、画像のメタデータのサイト名に対する関連性及び画像の品質の組み合わせであるスコアに基づいて各サイトに関する画像を並べることができる。サイトの人気は、そのサイトの画像の数量と品質に基づく、長期に渡って収集したそのサイトに関する画像上のクリックの数に基づくなどのような様々な方法で判定されることができる。ツアーシステムは、サイトそれぞれの最高スコアの画像が任意のサイトの二番目に高いスコアの画像の前に表示され、最高スコアの画像がサイトの人気に基づいて並べられるよう、表示される画像を並べる。こうして、ツアーシステムは、最も人気のあるサイトの最高スコアの画像を最初に表示し、二番目に人気のあるサイトの最高スコアの画像がこれに続き、サイトそれぞれの最高スコアの画像が表示されるまで以下同様に表示することができる。ツアーシステムは、次いで、最も人気のあるサイトの二番目に高いスコアの画像を表示し、二番目に人気のあるサイトの二番目に高いスコアの画像がこれに続き、以下同様に表示することができる。ツアーシステムは同時に、地図パネルの中にその場所の全てのサイトを包含する地図を表示することもできる。ユーザが画像パネルから画像を選択するとき、ツアーシステムは、次いで地図パネル内にその画像に関連するサイトを強調表示し、画像パネル内にそのサイトの画像を表示する。ユーザは、画像を選択して画像の拡大ビューをそのメタデータと共に見るか、又はポインタを画像の上でホバリングして画像の近くに表示されるメタデータの幾つかを見ることができる。
【００１８】
図４は、一実施形態におけるツアーシステムの経路による検索のユーザインターフェースを示す表示ページである。表示ページ４００は、場所による検索の領域４０１、経路による検索の領域４０２、画像パネル４０３及び地図パネル４０４を含む。ユーザは、出発地（例えば、場所Ａ）及び終着地（例えば、場所Ｚ）を経路による検索の領域に入力している。ツアーシステムは自動的に、出発地と終着地との間の旅行経路を識別して強調表示している。ツアーシステムは次いで、追加の旅行場所（例えば、場所Ｘ及び場所Ｙ）を旅行経路に沿って識別した。ツアーシステムは、場所／サイトマッピングを使用して旅行場所それぞれのサイトを識別し、旅行場所それぞれに関する画像を検索した。ツアーシステムは、最初に旅行場所それぞれを表す画像を画像パネルの中に表示した。ユーザが画像を選択したとき、ツアーシステムは、選択した画像の場所に関連するサイトそれぞれを表す画像を表示した。ユーザは次いで、旅行経路に関連するサイトのスライドショーを閲覧することを選択した。ツアーシステムは、スライドショーのスライドを画像パネルの中に場所の名称、サイトの名称、及び画像のタイトルと共に表示する。ツアーシステムはまた、移動する自動車も地図領域の中に表示して、サイトが現在スライドショーの中で表示されている場所を示す。ツアーシステムは、サイトの人気及び画像スコアに基づいて、場所のサイトの画像をスライドショーの中で表示することができる。ツアーシステムはまた、ユーザがスライドショーの長さ（例えば、５分間）を選択することを可能にすることもでき、又は長さが固定量（例えば、５分間）又は可変長（例えば、旅行経路に沿う場所とサイトの数に基づく）になるよう自動的に選択することもできる。
【００１９】
図５は、一実施形態におけるツアーシステムのコンポーネントを示すブロック図である。ツアーシステム５００は、通信リンク５２０を経由して様々なコンピューティングシステム５０１−５０４に接続される。コンピューティングシステムは、一つ又は複数の検索サービスサーバ５０１（例えば、ＭＳＮ  Ｓｅａｒｃｈ）、一つ又は複数の画像フォーラムサーバ５０２（例えば、ｗｗｗ．ｐｈｏｔｏｓｉｇ．ｃｏｍ）、一つ又は複数の地理的名称サーバ５０３（例えば、本件特許出願人のＶｉｒｔｕａｌＥａｒｔｈ）、及び一つ又は複数のクライアントコンピューティング装置５０４を含むことができる。ツアーシステムのユーザは、クライアントコンピューティング装置を使用して、ツアーシステムにより提供されるウェブベースのユーザインターフェースを用いながら自分の旅行を計画する。ツアーシステムは、オフラインコンポーネント５３０及びオンラインコンポーネント５４０を含む。オフラインコンポーネントは、場所のサイト識別コンポーネント５３１、サイト識別コンポーネント５３２、候補サイト名識別コンポーネント５３３、特徴ベクトル生成コンポーネント５３４、候補サイト名採点コンポーネント５３５、及び地理的名称識別コンポーネント５３６を含む。ツアーシステムは、オフラインコンポーネントによって書き込まれ、オンラインコンポーネントによって読み取られる場所／サイトストア５３７も含む。オンラインコンポーネントは、場所による検索コンポーネント５４１、経路による検索コンポーネント５４２、地図による検索コンポーネント５４３、場所に関する画像取り出しコンポーネント５４４、及び、経路によるスライドショー表示コンポーネント５４５を含む。ツアーシステムのこれらのコンポーネントは、以下において流れ図を参照して詳細に説明される。
【００２０】
ツアーシステムを実装することができるコンピューティング装置は、中央処理装置、メモリ、入力装置（例えば、キーボード及びポインティングデバイス）、出力装置（例えば、表示装置）、及び記憶装置（例えば、ディスクドライブ）を含むことができる。メモリ及び記憶装置は、ツアーシステムを実装する命令を含むことができるコンピュータ可読媒体である。加えて命令、データ構造、及びメッセージ構造は、通信リンクの上の信号のようなデータ送信媒体を経由して記憶され、送信される。インターネット、ローカルエリアネットワーク、広域ネットワーク又はポイント・ツー・ポイントダイアルアップ接続のような、様々な通信リンクを使用することができる。
【００２１】
ツアーシステムを、パーソナルコンピュータ、サーバコンピュータ、マルチプロセッサシステム、マイクロプロセッサベースのシステム、ネットワークＰＣ、ミニコンピュータ、メインフレームコンピュータ、上記のシステム又は装置の何れかを含む分散コンピューティング環境などを含む様々なコンピューティングシステム又は装置上で実装することができる。ツアーシステムは、パーソナルコンピュータ、携帯電話、携帯情報端末、家庭用電化製品、ホームオートメーション装置などのような、様々なコンピューティングシステムにより使用されることができる。
【００２２】
ツアーシステムを、プログラムモジュールのような、一つ又は複数のコンピュータ又は他の装置により実行されるコンピュータ実行可能命令の一般的な文脈で記述することができる。一般に、プログラムモジュールは、特定のタスクを実行するか又は特定の抽象データ型を実装するルーチン、プログラム、オブジェクト、コンポーネント、データ構造などを含む。一般的に、プログラムモジュールの機能性を、様々な実施形態において、望み通りに結合又は分散することができる。例えば、オフラインコンポーネント及びオンラインコンポーネントを、異なるコンピューティングシステム上で実装することができる。また、オフラインコンポーネントのうち幾つかを、オンラインコンポーネントとして実装することができ、逆もまた同じである。
【００２３】
図６は、一実施形態におけるツアーシステムの場所のサイト識別コンポーネントの処理を説明する流れ図である。コンポーネント６００は、場所のリストを与えられて、各場所に関連するサイトを識別する。ブロック６０１において、コンポーネントは次の場所を選択する。決定ブロック６０２において、全部の場所が既に選択されている場合、次にコンポーネントは完了し、さもなければコンポーネントはブロック６０３に進む。ブロック６０３においてコンポーネントはサイト識別コンポーネントを呼び出して、選択した場所に関するサイトを識別する。ブロック６０４において、コンポーネントは選択した場所の識別したサイトに対するマッピングを生成し、次いでブロック６０１にループして次の場所を選択する。
【００２４】
図７は、一実施形態におけるツアーシステムのサイト識別コンポーネントの処理を説明する流れ図である。コンポーネント７００は、場所を渡されて、その場所に関連するサイトを識別する。ブロック７０１において、コンポーネントはその場所をクエリとして、画像検索サービスである可能性のある検索サービスに提示して、検索結果として画像及び関連したメタデータを受信する。ブロック７０２において、コンポーネントは候補サイト名識別コンポーネントを呼び出して、検索結果から候補サイト名を識別する。例えば、候補サイト名は、検索結果のメタデータ内の顕著な成句であることができる。ブロック７０３において、コンポーネントは特徴ベクトル生成コンポーネントを呼び出して、候補サイト名を表す特徴ベクトルを生成する。ブロック７０４において、コンポーネントは候補サイト名採点コンポーネントを呼び出し、生成した特徴ベクトルに基づいて候補サイト名に対するスコアを生成する。ブロック７０５において、コンポーネントは地理的名称識別コンポーネントを呼び出して、地理的名称である候補サイト名を識別する。コンポーネントは次いで、採点閾値を満足する地理的名称である候補サイト名をサイトとして返す。
【００２５】
図８は、一実施形態におけるツアーシステムの候補サイト名識別コンポーネントの処理を説明する流れ図である。コンポーネント８００は検索結果を渡されて、検索結果から候補サイト名を識別する。ツアーシステムは、重要又は顕著な成句を識別する様々な技法を用いて候補サイト名を識別することができる。例えば、ツアーシステムは、検索結果のテキストから一定の長さ（例えば、ｎ−グラム）の成句全てを抽出して、成句の頻度、文書の頻度、成句の長さなどのような成句の様々な特性を識別することができる。ツアーシステムは、成句の特性に基づいて重要成句を識別する。ツアーシステムはまた、有意義なサイト名を表すと思われないもの（例えば、多過ぎるノイズ語（ｎｏｉｓｅ  ｗｏｒｄｓ））、同一サイトを表すと思われるもの（例えば、「Ｇｏｌｄｅｎ  Ｇａｔｅ  Ｂｒｉｄｇｅ」及び「ＧｏｌｄｅｎＧａｔｅ  Ｂｒｉｄｇｅ」）などに基づいて重要成句をフィルタリングすることもできる。ツアーシステムはまた、重要成句それぞれに対する画像のクラスタを、その重要成句を含む画像として定義することもできる。ツアーシステムは、多過ぎるか又は少な過ぎる画像を有するクラスタ、又は別のクラスタと共通の画像が多過ぎるクラスタに対する重要成句を廃棄することができる。検索結果から成句を識別する技術は、「非特許文献１」、及び「特許文献１」に記述にしてあり、両者共ここに参照することにより組み込まれる。これらの参考文献に記述する一つの技法は、線形回帰モデルを訓練して成句の特徴ベクトルから成句のスコアを習得する。ツアーシステムは、線形回帰モデルを使用して、成句が重要又は顕著な成句であり、したがって候補サイト名である可能性を採点する。ブロック８０１において、コンポーネントは次の検索結果を選択する。決定ブロック８０２において、既に検索結果全部が選択されている場合、次いでコンポーネントは候補サイト名を返し、さもなければコンポーネントはブロック８０３に進む。ブロック８０３において、コンポーネントは選択した検索結果のタイトルから成句を識別する。ブロック８０４において、コンポーネントは、選択した検索結果の他のテキスト（例えば、説明）から成句を識別する。ブロック８０５において、コンポーネントは成句に、ポーターのステミングのようにステミングを適用する。ブロック８０６において、コンポーネントは識別した成句を候補サイト名として追加し、次いでブロック８０１にループして、次の検索結果を選択する。
【００２６】
図９は、一実施形態におけるツアーシステムの特徴ベクトル生成コンポーネントの処理を説明する流れ図である。コンポーネント９００は、候補サイト名を渡されて、候補サイト名それぞれに対して候補サイト名の様々な特徴を表す特徴ベクトルを生成する。ブロック９０１において、コンポーネントは次の候補サイト名を選択する。決定ブロック９０２において、既に候補サイト名全部が選択されている場合、次いでコンポーネントは候補サイト名に対する特徴ベクトルを返し、さもなければコンポーネントはブロック９０３に進む。ブロック９０３において、コンポーネントは、用語頻度掛ける逆文書頻度（「ｔｆ＊ｉｄｆ」）に基づく特徴ベクトルの特徴を算定する。ブロック９０４において、コンポーネントは、選択したサイト名の長さに基づく特徴ベクトルの特徴を算定する。ブロック９０５において、コンポーネントは、クラスタ内類似性に基づく特徴ベクトルの特徴を算定する。ブロック９０６において、コンポーネントは、クラスタのエントロピーを表す特徴ベクトルの特徴を算定する。ブロック９０７において、コンポーネントは選択した候補サイト名の独立性を示す特徴ベクトルの特徴を算定する。コンポーネントは次いで、ブロック９０１にループして次の候補サイト名を選択する。これらの特徴は、「非特許文献１」に記述されている。コンポーネントはまた、候補サイト名に関連する画像の品質をスコアに織り込むこともできる。コンポーネントは、ここに参照して組み込む「特許文献２」に記述されているように、画像フォーラムの品質評価を標準尺度に標準化するか又は変換することができる。
【００２７】
図１０は、一実施形態におけるツアーシステムの候補サイト名採点コンポーネントの処理を説明する流れ図である。コンポーネント１０００は、候補サイト名が検索結果の顕著な成句である可能性を示すスコアをそれぞれの候補サイト名に対して生成する。ブロック１００１において、コンポーネントは次の候補サイト名を選択する。決定ブロック１００２において、候補サイト名全部が既に選択されている場合、次いでコンポーネントは戻り、さもなければコンポーネントはブロック１００３に進む。ブロック１００３において、コンポーネントは選択した候補サイト名に対するスコアを０に初期化する。ブロック１００４−１００６において、コンポーネントは選択した候補サイト名の特徴ベクトルのそれぞれの特徴ｉに対するスコアを累積しながらループする。ブロック１００４において、コンポーネントは選択した候補サイト名に対する特徴ベクトルの次の特徴を選択する。決定ブロック１００５において、選択した候補サイト名の特徴全部が既に選択されている場合、次いでコンポーネントはブロック１００７に進み、さもなければコンポーネントはブロック１００６に進む。ブロック１００６において、コンポーネントは特徴の値ｘiに重み係数ｂiを掛けて、それを選択した候補サイト名に対するスコアに加算する。コンポーネントは次いでブロック１００４にループし次の特徴を選択する。ブロック１００７において、コンポーネントは選択した候補サイト名のスコアを設定し、次いでブロック１００１にループして次の候補サイト名を選択する。
【００２８】
図１１は、一実施形態におけるツアーシステムの地理的名称識別コンポーネントの処理を説明する流れ図である。コンポーネント１１００は、場所とその場所に関する候補サイト名を渡される。コンポーネントは、何れの候補サイト名が地理的名称を表すかを識別して、その候補サイト名にサイト名として印を付ける。ブロック１１０１において、コンポーネントは次の候補サイト名を選択する。決定ブロック１１０２において、候補サイト名全部が既に選択されている場合、次いでコンポーネントは印の付いた候補サイト名をサイト名として返し、さもなければコンポーネントはブロック１１０３に進む。ブロック１１０３において、コンポーネントは場所及び選択した候補サイト名を地理的名称サービスに提示する。決定ブロック１１０４において、地理的名称サービスにより提供される結果が、選択した候補サイト名は地理的名称に一致することを示す場合、次いでコンポーネントはブロック１１０５に進み、さもなければコンポーネントはブロック１１０１にループして次の候補サイト名を選択する。ブロック１１０５において、コンポーネントは選択した候補サイト名をサイト名として印を付け、次いでブロック１１０１にループし次の候補サイト名を選択する。
【００２９】
図１２は、一実施形態におけるツアーシステムの場所による検索コンポーネントの処理を説明する流れ図である。コンポーネント１２００は、場所を渡されてその場所に関連するサイトの画像を表示する。ブロック１２０１において、コンポーネントは場所／サイトマッピングを用いて渡された場所に関するサイト名を取り出す。決定ブロック１２０２において、渡された場所に関するサイト名が見出された場合、次いでコンポーネントはブロック１２０３に進み、さもなければコンポーネントはブロック１２０９に進む。ブロック１２０３−１２０５において、コンポーネントはループして、取り出したサイト名それぞれを画像検索サービスに提示してこれらのサイト名に一致する画像を識別する。ブロック１２０３において、コンポーネントは次の取り出したサイト名を選択する。決定ブロック１２０４において、サイト名全部が既に選択されている場合、次いでコンポーネントはブロック１２０６に進み、さもなければコンポーネントはブロック１２０５に進む。ブロック１２０５において、コンポーネントは場所及びサイト名をクエリとして画像検索サービスに提示する。その検索結果は、選択したサイト名に関する画像及び関連メタデータを識別する。コンポーネントは次いで、ブロック１２０３にループして、次のサイト名を選択する。ブロック１２０６において、コンポーネントは画像を表示のために並べる。ブロック１２０７において、コンポーネントは画像を画像パネルに表示する。ブロック１２０８において、コンポーネントは渡された場所のサイトを包含する地図を地図パネルに表示する。ブロック１２０９において、渡された場所に関するサイト名が見出せなかった場合、次いでコンポーネントは場所をクエリとして画像検索サービスに提示する。コンポーネントは次いで、検索結果の画像を画像パネルに表示し、その場所を中心とする地図を地図パネルに表示する。コンポーネントは次いで完了する。
【００３０】
図１３は、一実施形態におけるツアーシステムの経路による検索コンポーネントの処理を説明する流れ図である。コンポーネント１３００は、出発地及び終着地を渡される。コンポーネントは出発地から終着地までの旅行経路に沿って場所を識別して、それらの場所に関連するサイトの画像を表示する。ブロック１３０１において、コンポーネントは出発地から終着地までの経路上又は近傍の場所を識別する。ブロック１３０２において、コンポーネントは場所に関する画像取り出しコンポーネントを呼び出して、識別した場所のサイトの画像を取り出す。ブロック１３０３において、コンポーネントはサイトの画像を出発地からの距離に基づいて並べる。ブロック１３０４において、コンポーネントは画像を画像パネルに表示する。ブロック１３０５において、コンポーネントは、出発地から終着地までの旅行経路を示す地図を地図パネルに表示し、次いで完了する。
【００３１】
図１４は、一実施形態におけるツアーシステムの場所に関する画像取り出しコンポーネントの処理を説明する流れ図である。コンポーネント１４００は、場所のリストを渡されて、それらの場所に関連するサイトの画像を取り出す。ブロック１４０１において、コンポーネントは次の場所を選択する。決定ブロック１４０２において、場所全部が既に選択されている場合、次いでコンポーネントはブロック１４０６に進み、さもなければコンポーネントはブロック１４０３に進む。ブロック１４０３において、コンポーネントは選択した場所に関する次のサイトを選択する。決定ブロック１４０４において、選択した場所に関するサイト全部が既に選択されている場合、次いでコンポーネントはブロック１４０１にループして次の場所を選択し、さもなければコンポーネントはブロック１４０５に進む。ブロック１４０５において、コンポーネントは選択した場所及び選択したサイトを含むクエリを画像検索サービスに提示する。検索結果として、選択したサイトに関連する画像を示す。コンポーネントは次いでブロック１４０３にループして次のサイトを選択する。ブロック１４０６において、コンポーネントは無意味なサイトを有する任意の場所を廃棄して、次いで戻る。
【００３２】
図１５は、一実施形態におけるツアーシステムの地図による検索コンポーネントの処理を説明する流れ図である。コンポーネント１５００は、現在表示している地図上に見える場所を識別して、それらの場所のサイトに関する画像を表示する。ブロック１５０１において、コンポーネントは画像パネルの中に表示される地図上に見える場所を識別する。ブロック１５０２において、コンポーネントは場所に関する画像取り出しコンポーネントを呼び出して、識別する場所のサイトに関連する画像を取り出す。ブロック１５０３において、コンポーネントは場所それぞれのサイトを、画像の数(又はサイトの人気)により並べる。ブロック１５０４において、コンポーネントはサイトの画像を画像パネルに表示する。ブロック１５０５において、コンポーネントは場所を強調表示して地図を画像パネルに表示する。次いでコンポーネントは完了する。
【００３３】
図１６は、一実施形態におけるツアーシステムの画像選択コンポーネントの処理を説明する流れ図である。コンポーネント１６００は、サイトを渡されてそのサイトに関する画像を選択する。ブロック１６０１において、コンポーネントは渡されたサイトに関する画像を選択する。ブロック１６０２において、コンポーネントは選択した画像を画像パネルに表示する。ブロック１６０３において、コンポーネントは渡されたサイトを地図の中心にする。ブロック１６０４において、コンポーネントは、地図を地図パネルに表示し、次いで完了する。
【００３４】
図１７は、一実施形態におけるツアーシステムの経路によるスライドショー表示コンポーネントの処理を説明する流れ図である。コンポーネント１７００は、出発地と終着地を渡されて、出発地から終着地までの経路に沿って出会うサイトのスライドショーを表示する。ツアーシステムは、単一場所のサイトのスライドショーをも可能にすることができる。ブロック１７０１において、コンポーネントはスライドショーの時間を設定する。この時間は、固定時間か、又は経路の長さ、旅行場所の数、サイトの数などによって変数を、ユーザが指定することができる。ブロック１７０２において、コンポーネントは旅行経路に沿って次の場所を選択する。決定ブロック１７０３において、場所全部が既に選択されている場合、次いでコンポーネントは戻り、さもなければコンポーネントはブロック１７０４に進む。ブロック１７０４において、コンポーネントは選択した場所に対し表示すべきスライドの数を算出する。スライドの数は、固定数であってもよいし、又はスライドショーの時間、各場所に関するサイトの数、場所の数などに基づいて動的に生成されてもよい。ブロック１７０５において、コンポーネントはそれまで表示されたスライドの数を増加させる。決定ブロック１７０６において、選択した場所に対して既に表示したスライドの数がこの場所に対して表示すべきスライドの数より大きい場合、次いでコンポーネントはブロック１７０２にループして次の場所を選択し、さもなければコンポーネントはブロック１７０７に進む。ブロック１７０７において、コンポーネントは選択した場所の次のサイトを選択する。ブロック１７０８において、コンポーネントは選択したサイトに関する次の未閲覧画像を選択する。ブロック１７０９において、コンポーネントは画像を画像パネルに表示する。コンポーネントは次いで１７０５にループして次のサイトを選択する。コンポーネントがサイト全部を選択した後、選択した場所の最初のサイトを選択することにより、算出した数のスライドが提示されるまでやり直すことができる。
【００３５】
主題を構造的特徴及び／又は方法論的動作に固有の言語で記述したけれども、添付請求項に定義する主題は、上述の固有の特徴又は動作に必ずしも限定されないと、理解するべきである。むしろ、上述の固有の特徴及び動作は、請求項実装の形式例として開示されるものである。例えば、ツアーシステムは、その名称を興味のあるサイトであると識別するサービスに候補サイト名を提示することができる。ツアーシステムは、画像検索サービスよりむしろ、ウェブ検索サービス又は他の検索サービスを用いて、候補サイト名を識別することができる。ウェブ検索サービスの場合、ツアーシステムは顕著な成句をタイトル及び検索結果の断片から抽出することができる。したがって、本発明は添付請求項を除いて制限されない。
【図１】
2010506335.tif 000003
【図２】
2010506335.tif 000004
【図３】
2010506335.tif 000005
【図４】
2010506335.tif 000006
【図５】
2010506335.tif 000007
【図６】
2010506335.tif 000008
【図７】
2010506335.tif 000009
【図８】
2010506335.tif 000010
【図９】
2010506335.tif 000011
【図１０】
2010506335.tif 000012
【図１１】
2010506335.tif 000013
【図１２】
2010506335.tif 000014
【図１３】
2010506335.tif 000015
【図１４】
2010506335.tif 000016
【図１５】
2010506335.tif 000017
【図１６】
2010506335.tif 000018
【図１７】
2010506335.tif 000019
【国際調査報告】
2010506335.tif 000020
2010506335.tif 000021